(57)【特許請求の範囲】
【請求項１】
支持枠体と、同支持枠体に対して開閉可能に支持され遊技者が対面して遊技を行う遊技面が形成された遊技盤を備えた遊技機本体と、前記遊技盤の前面側に配置され、前記遊技機本体に対して開閉可能に装着された扉枠と、前記遊技機本体および扉枠の開閉状態を検出する検出手段とを備えた遊技機において、
前記遊技機本体および扉枠の開閉あるいは着脱に伴い作用する緩衝部材を前記遊技機本体に対して配設するとともに、前記支持枠体または前記扉枠の一方に前記検出手段を配設し、
前記支持枠体または前記扉枠のうち一方に配設された前記検出手段の前記検出部が他方の開閉あるいは着脱によって前記緩衝部材を介して動作させられるように構成したことを特徴とする遊技機
【発明の詳細な説明】
【０００１】
【発明の属する技術分野】
本発明は遊技機に関し、特に隣接する構成部材同士間の開閉あるいは脱着状態を検出するための検出手段を備えた遊技機に関するものである。
【０００２】
【従来の技術】
遊技機の一種である例えばパチンコ機においては遊技機本体としてのパチンコ機本体と前面枠としての扉枠の間に、あるいはパチンコ機本体と支持枠体としての外枠との間にセンサを配設する場合がある。扉枠やパチンコ機本体の開放の有無は管理室において報知されその時間が記録される。このようにセンサは機器の保守・点検のためにホール側で開放した記録を残すとともに、遊技者側の不正を防止する観点から行われているものである。その他機種によってはパチンコ機本体に開閉盤としてのセット盤が開閉可能に装着され、このセット盤の基盤ボックス内に制御機構が設けられているものがある。この場合にはパチンコ機本体とセット盤との間に検出手段としてのセンサが配設される。
センサには種々の方式があるが、もっとも多用されているのは安価なリミットスイッチである。リミットスイッチは検出部としての入力レバーの入切で開放状態を検出するものである。例えばパチンコ機本体側にリミットスイッチを配設しこれがはめ込まれる外枠側に入力レバーと当接する当接プレートを配設し、外枠にパチンコ機本体を閉塞（装着）した状態で入力レバーが押動され、開放状態で入力レバーへの押圧が解消されることで開閉状態を検出する。
【０００３】
【発明が解決しようとする課題】
ところが、上記例でいえばリミットスイッチと当接プレートとの間隔が狭すぎるとパチンコ機本体を閉塞した際に入力レバーが当接プレートに強く押されて過負荷がかかり、甚だしい場合には壊れてしまうケースもあった。これはリミットスイッチと当接プレートとの間隔調整が不十分であることに起因するものであるが、一方であまり間隔が広すぎるとわずかな振動や若干の部材の寸法誤差によるがたつきの範囲でリミットスイッチが入力されてしまうといった不具合も生じてしまう。
本発明は、このような従来の技術に存在する問題点に着目してなされたものである。その目的とするところは、検出手段の設置作業が容易で、かつ検出手段に過負荷がかかりにくい遊技機を提供するものである。
【０００４】
【課題を解決するための手段】
上記の目的を達成するために、請求項１に記載の発明では、支持枠体と、同支持枠体に対して開閉可能に支持され遊技者が対面して遊技を行う遊技面が形成された遊技盤を備えた遊技機本体と、前記遊技盤の前面側に配置され、前記遊技機本体に対して開閉可能に装着された扉枠と、前記遊技機本体および扉枠の開閉状態を検出する検出手段とを備えた遊技機において、前記遊技機本体および扉枠の開閉あるいは着脱に伴い作用する緩衝部材を前記遊技機本体に対して配設するとともに、前記支持枠体または前記扉枠の一方に前記検出手段を配設し、前記支持枠体または前記扉枠のうち一方に配設された前記検出手段の前記検出部が他方の開閉あるいは着脱によって前記緩衝部材を介して動作させられるように構成したことをその要旨とする。
【０００５】
【発明の効果】
上記請求項に記載された発明では、緩衝部材の緩衝作用によって検出手段に過負荷がかからない。また、緩衝作用を受ける領域において検出手段の配置位置に裕度が生じるため厳密に位置合わせをする必要がなく検出手段の装着作業の効率が向上する。
【０００６】
【発明の実施の形態】
以下、本発明をパチンコ機に応用した各実施の形態について図面に基づいて説明する。まず、主として図１及び図２に基づいてパチンコ機の概略を説明し、その後各実施の形態それぞれの固有の構成について説明する。尚、以下の説明で前面側或いは表面側とは遊技者が正対する側をいい、後面側或いは背面側とはその反対側をいうものとする。また図２における説明では裏面側からみた左右方向をそれぞれ左右とする。
図１に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。外枠１には遊技機本体としてのパチンコ機本体４が装着されている。パチンコ機本体４はヒンジ金具６の回動軸６ａを中心に回動し外枠１に対して開閉可能とされている。パチンコ機本体４の上半身には遊技盤５が装着されている。遊技盤５の前面にはほぼ垂直に配置された遊技面９が形成されている。遊技面９上には内レール１０、外レール１１、入賞口１２及び可変表示装置１３等が所定位置に配置された遊技領域１４が形成されている。尚、釘については図示が省略されている。遊技盤５の周囲は額縁状の扉枠支持フレーム７にて包囲されている。扉枠支持フレーム７はパチンコ機本体４と一体的に形成されている。扉枠支持フレーム７の上部前面には水平方向に３つのランプ８が配設されている。
【０００７】
図２に示すように、遊技盤５の背面側には開閉可能に開閉盤としてのセット盤２２がパチンコ機本体４に対して開閉可能に装着されている。セット盤２２は上下に配設されたヒンジ部２３によってパチンコ機本体４に支持されており、盤面に散点的に配置された開閉ピン２６の引き出し及び押し込みによってパチンコ機本体４に着脱される。セット盤２２の中央付近には可変表示装置１３の制御を行う制御機構としての図柄表示装置ユニット３１が配設されている。同ユニット３１に隣接して賞球の排出等のパチンコ機の電子的制御を行う制御機構としての制御装置ユニット３２が配設されている。同両ユニット３１，３２の上方には賞球タンク３３が配設されている。賞球タンク３３の右方には入出力基盤３４が配設されている。入出力基盤３４の右側方には検出手段としてのリミットスイッチ３０が配設されている。リミットスイッチ３０については後述する。入出力基盤３４の下方には球払い出し機構Ｐが配設されている。球払い出し機構Ｐの下方にはセーフ球処理機構Ｑが配設されている。セット盤２２の下方には遊技球発射機構Ｒが配設されている。賞球タンク３３、球払い出し機構Ｐ等にてパチンコ機本体４の（背面から見て）右端面４ａが形成されることとなる。右端面４ａの形状はパチンコ機本体４の背面に配設された各種構成部材の形状、配置位置によって一定ではないが、要はこれより側方には他の部材が存せず外枠１にパチンコ機本体４を装着した際に外枠１の左部（背面からでは右部となる）枠板１ｄの内面に面する部分をいう。
【０００８】
図１に示すように、遊技盤５の前面には前面枠としての扉枠１５が配設されている。扉枠１５はヒンジ金具６の回動軸６ａを中心に回動しパチンコ機本体４に対して開閉可能とされている。扉枠１５は閉じられた状態で前記扉枠支持フレーム７に当接する。扉枠１５はほぼ正方形の外形を有し、中央にほぼ正方形の大型の窓穴１６が形成されている。扉枠１５上方の上梁１９には水平方向に３つの透孔２４が形成されている。透孔２４は前記扉枠支持フレーム７のランプ８に対応しており、扉枠１５を閉じた時に各ランプ８が対応する透孔２４内に配置される。上梁１９前面には半透明の装飾パネル２５が配設され、同透孔２４を覆っている。ランプ８の光は同透孔２４を通して光透過性の装飾パネル２５を明るく照らし出す。左縦枠２１には扉枠支持フレーム７に設けられた鍵穴２７を（図１参照）露出させるための台形の大きな切り欠き２８が形成されている。扉枠１５の背面側には同窓穴１６の全周囲に渡って同窓穴１６を包囲する金属製の補強フレーム２９が配設されている。
【０００９】
扉枠１５の下方には上部カバープレート３５が装着されている。上部カバープレート３５はパチンコ機本体４に対して図示しないヒンジ金具によって片持ち支持され同パチンコ機本体４に対して開閉可能とされている。上部カバープレート３５は前方に突出形成され、上面に上受け皿３６が載置されている。上部カバープレート３５の下方には下部カバープレート３７が配設されている。下部カバープレート３７はパチンコ機本体４に対して固着されている。下部カバープレート３７は前方に突出形成され、上面に下受け皿３８が載置されている。下受け皿３８は主として上受け皿３６に貯留しきれなかった遊技球を貯留するものである。下部カバープレート３７には灰皿４０が装着されている。下受け皿３８の右側方には操作ハンドル３９が取付けられている。
【００１０】
次にリミットスイッチ３０及び同リミットスイッチ３０周辺の構成について各実施の形態毎に詳述する。
【００１１】
（実施の形態１）
図２及び図３に示すように、右端面４ａの一部を構成する前記入出力基盤３４の右側方には取り付けフレーム４１が形成されている。取り付けフレーム４１には略台形に右方に突出する取り付けプレート４３が形成されている。図３及び図５に示すように、取り付けプレート４３には固定ボルト４４によってリミットスイッチ３０が固着されている。リミットスイッチ３０は本体３０ａと検出部としての入力レバー３０ｂと、同レバー３０ｂに押動される入切ボタン３０ｃを備えている。レバー３０ｂは本体３０ａの外方（図３では右方）に向いて配置されている。取り付けプレート４３の同リミットスイッチ３０の上方位置には中間レバー４５が回動軸としての固定ボルト４６によって回動可能に軸支されている。緩衝部材としての中間レバー４５は合成樹脂製よりなる部材であって、固定ボルト４６に支持された基部４７から右外下方に膨出してくの字状に屈曲形成されている。中間レバー４５は屈曲部頂点４５ａにおいて左部枠板１ｄの内面と当接するように構成されるとともに、先端４５ｂが入力レバー３０ｂ表面に当接されている。
【００１２】
次に実施の形態１の作用について説明する。
図１のように扉枠１５がパチンコ機本体４に対し開放状態にあり、パチンコ機本体４は外枠１に対し開放状態にあるとする。このときリミットスイッチ３０は図７（ａ）に示す状態とされる。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。パチンコ機本体４が外枠１に接近すると、まず中間レバー４５の屈曲部頂点４５ａから左部枠板１ｄの内面に当接し、レバー３０ｂは中間レバー４５の先端４５ｂによって押動されて本体３０ａ方向に回動されこの作用によって入切ボタン３０ｃも押動される（図７（ｂ）の状態）。
ついで、再びパチンコ機本体４を開放させていくと上記とは逆に図７（ｂ）の状態から図７（ａ）の状態となる。
【００１３】
このように構成することにより本実施の形態１は次のような効果を奏する。
（１）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０に非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
（２）リミットスイッチ３０のレバー３０ｂはパチンコ機本体４が外枠１に装着された状態で中間レバー４５を間に介して同中間レバー４５の緩衝作用を受けながら入切ボタン３０ｃを押動している。そのため、レバー３０ｂには過負荷がかからず、リミットスイッチ３０の過負荷による故障が生じにくい。
（３）パチンコ機本体４と左部枠板１ｄの接近に伴って中間レバー４５が撓み、この撓む範囲においてリミットスイッチ３０の配置位置の調整に裕度ができるため、リミットスイッチ３０の配置作業にそれほどの技量を必要としなくてよくなる。また、外枠１の経年使用による寸法誤差にも対応することが容易である。
（４）中間レバー４５は屈曲部頂点４５ａが直接左部枠板１ｄの内面に当接するため特に中間レバー４５を押動するための当接プレートのような別部材は不要となりコストの削減に寄与する。
（５）中間レバー４５のサイズや形状を変更することでリミットスイッチ３０の取り付け位置を変えることなく異なる仕様に変更したパチンコ機に対応することが可能となる。
（６）取り付けフレーム４１自体が若干左右に撓むという可撓性を有しているため、中間レバー４５が撓むことと併せてリミットスイッチ３０に負荷がかかりにくくなっている。
（７）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
【００１４】
（実施の形態２）
図２及び図４に示すように、右端面４ａの一部を構成する前記入出力基盤３４の右側方には取り付けフレーム４１が形成されている。取り付けフレーム４１には略台形に右方に突出する取り付けプレート４３が形成されている。図４及び図６に示すように、取り付けプレート４３には固定ボルト４４によってリミットスイッチ３０が固着されている。リミットスイッチ３０は本体３０ａ及び入切ボタン３０ｃを備えているが入力レバー３０ｂは備えず、その代わりに中間レバー５０がその入力レバー３０ｂを兼ねている。入切ボタン３０ｃは本体３０ａの外方（図４では右方）に向いて配置されている。中間レバー５０は回動軸としての固定ボルト４６によって回動可能に軸支されている。中間レバー５０は合成樹脂製よりなる部材であって、固定ボルト４６に支持された基部５１から下方に向かって二股に分かれた短脚５２と長脚５３とを備えている。緩衝部材としての外側の短脚５２は湾曲して形成され、湾曲部頂点５２ａにおいて左部枠板１ｄの内面と当接するように構成されている。内側の長脚５３はリミットスイッチ３０の入力レバーとして入切ボタン３０ｃを押動する。
【００１５】
次に実施の形態２の作用について説明する。
図１のように扉枠１５がパチンコ機本体４に対し開放状態にあり、パチンコ機本体４は外枠１に対し開放状態にあるとする。このときリミットスイッチ３０は図８（ａ）に示す状態とされる。この状態では中間レバー４５の短脚５２の湾曲部頂点５２ａは入切ボタン３０ｃに当接しているものの、押動はしていない。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。パチンコ機本体４が外枠１に接近すると、まず中間レバー４５の短脚５２の湾曲部頂点５２ａから左部枠板１ｄの内面に当接し、短脚５２は撓みながらも押圧力を受け、長脚５３も入切ボタン３０ｃを押圧して入切ボタン３０ｃは押動される（図８（ｂ）の状態）。
ついで、再びパチンコ機本体４を開放させていくと上記とは逆に図８（ｂ）の状態から図８（ａ）の状態となる。
【００１６】
このように構成することにより本実施の形態２は次のような効果を奏する。
（１）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０に非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
（２）中間レバー５０はパチンコ機本体４が外枠１に装着された状態で短脚５２を間に介して同短脚５２の緩衝作用を受けながら長脚５３によって入切ボタン３０ｃを押動している。そのため、レバー３０ｂには過負荷がかからず、リミットスイッチ３０の過負荷による故障が生じにくい。
（３）パチンコ機本体４と左部枠板１ｄの接近に伴って中間レバー５０の短脚５２が撓み、この撓む範囲においてリミットスイッチ３０の配置位置の調整に裕度ができるため、リミットスイッチ３０の配置作業にそれほどの技量を必要としなくてよくなる。また、外枠１の経年使用による寸法誤差にも対応することが容易である。
（４）中間レバー５０は同短脚５２の屈曲部頂点５２が直接左部枠板１ｄの内面に当接するため特に中間レバー５０を押動するための当接プレートのような別部材は不要となりコストの削減に寄与する。
（５）中間レバー５０のサイズや形状を変更することでリミットスイッチ３０の取り付け位置を変えることなく異なる仕様に変更したパチンコ機に対応することが可能となる。
（６）取り付けフレーム４１自体が若干左右に撓むという可撓性を有しているため、短脚５２が撓むことと併せてリミットスイッチ３０に負荷がかかりにくくなっている。
（７）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（８）中間レバー５０がリミットスイッチ３０の入力レバー３０ｂと緩衝部材を兼ねるため構成部品が減り、組み立て工程が簡略化される。
【００１７】
（実施の形態３）
図９（ａ）及び図９（ｂ）に示すように、リミットスイッチ３０は本体３０ａ及び入切ボタン３０ｃを備えているが入力レバー３０ｂは備えず、その代わりに中間レバー５５がその入力レバー３０ｂを兼ねている。中間レバー５５は回動軸としての固定ボルト４６によって回動可能に軸支されている。中間レバー５５は先端が途中で屈曲されており、斜め上方に延出する緩衝部材としての延出部５５ａが形成されている。延出部５５ａに左部枠板１ｄの内面が当接すると一体形成された中間レバー５５が押動される。
このとき、延出部５５ａが屈曲しているため左部枠板１ｄの内面と当接すると若干撓んでリミットスイッチ３０にかかる負荷を軽減する。この実施の形態でも上記実施の形態１及び２の不正が行いにくいという効果に加え、次のような効果が奏される。
（１）リミットスイッチ３０の中間レバー５５はパチンコ機本体４が外枠１に装着された状態で延出部５５ａを間に介して同延出部５５ａの緩衝作用を受けながら入切ボタン３０ｃを押動している。そのため、中間レバー５５には過負荷がかからずリミットスイッチ３０の過負荷による故障が生じにくい。
（２）パチンコ機本体４と左部枠板１ｄの接近に伴って延出部５５ａが撓み、この撓む範囲においてリミットスイッチ３０の配置位置の調整に裕度ができるため、リミットスイッチ３０の配置作業にそれほどの技量を必要としなくてよくなる。また、外枠１の経年使用による寸法誤差にも対応することが容易である。
（３）中間レバー５５がリミットスイッチ３０の入力レバー３０ｂと緩衝部材を兼ねるため構成部品が減り、組み立て工程が簡略化される。
（４）中間レバー５５のサイズや形状を変更することでリミットスイッチ３０の取り付け位置を変えることなく異なる仕様に変更したパチンコ機に対応することが可能となる。
【００１８】
（実施の形態４）
図１０（ａ）及び図１０（ｂ）に示すように、リミットスイッチ３０は支軸５７によって回動可能に吊り下げ支持されている。リミットスイッチ３０は取り付けプレート４３から突設したピン５８に装着されたコイルばね５９によって常時反時計回り方向（外方向）に付勢され、パチンコ機本体４が開放された状態で若干斜めに保持されている。リミットスイッチ３０のレバー３０ｂと左部枠板１ｄの内面とが当接してレバー３０ｂが押動される。そしてレバー３０ｂが本体３０ａ方向に押圧された状態で更に左部枠板１ｄの内面がレバー３０ｂを押圧するとリミットスイッチ３０自体がコイルばね５９の付勢力に抗して時計回り方向（内方向）に回動して移動する（図１０（ｂ）の状態）。
このように、左部枠板１ｄの内面が当接するとリミットスイッチ３０自体が揺動するためリミットスイッチ３０にかかる負荷が軽減される。この実施の形態でも上記実施の形態１の不正が行いにくいという効果に加え、次のような効果が奏される。
（１）リミットスイッチ３０はコイルばね５９を自らとパチンコ機本体４側の取り付けフレーム４１との間に介在させ外枠１とパチンコ機本体４との接近によるリミットスイッチ３０へかかる負荷を緩衝しているため、過負荷がかからずリミットスイッチ３０の過負荷による故障が生じにくい。
（２）パチンコ機本体４と左部枠板１ｄの接近に伴ってコイルばね６２の付勢力に抗しながらリミットスイッチ３０は時計回り方向（内方向）に回動する。この回動できる範囲においてリミットスイッチ３０の配置位置の調整に裕度ができるため、リミットスイッチ３０の配置作業にそれほどの技量を必要としなくてよくなる。また、外枠１の経年使用による寸法誤差にも対応することが容易である。
【００１９】
（実施の形態５）
図１１（ａ）及び図１１（ｂ）に示すように、リミットスイッチ３０は支軸５７によって回動可能に吊り下げ支持されている。支軸５７の位置は若干リミットスイッチ３０の外方にずれているため、軸支された状態でリミットスイッチ３０は傾斜している。本実施の形態ではリミットスイッチ３０の検出部としてのレバー６１は内側、すわなち取り付けフレーム４１側に向いて配置されている。レバー６１は先端が途中で屈曲されており、斜め上方に延出する緩衝部材としての延出部６１ａが形成されている。
リミットスイッチ３０と左部枠板１ｄの内面とが当接するとリミットスイッチ３０自体が押動されて時計回り方向（内方向）に回動していく。そしてレバー６１の延出部６１ａ先端が取り付けフレーム４１の当接プレート６２に押し当てられていき、レバー６１が左部枠板１ｄの内面と当接プレート６２に挟まれて圧縮されてリミットスイッチ３０の入切ボタン３０ｃが押動される。更に、パチンコ機本体４が外枠１に装着された状態においては図１１（ｂ）のようにリミットスイッチ３０はほぼ垂直な状態となる。
このように、左部枠板１ｄの内面がリミットスイッチ３０に当接してこれを押動するとリミットスイッチ３０自体が揺動してレバー６１の延出部６１ａが当接プレート６２に当接し、延出部６１ａが屈曲しているためこの緩衝作用を受けながらレバー６６は入切ボタン３０ｃを押動する。この実施の形態でも上記実施の形態１の不正が行いにくいという効果に加え、次のような効果が奏される。
（１）リミットスイッチ３０のレバー６１はパチンコ機本体４が外枠１に装着された状態でレバー６１の延出部６１ａを間に介して同延出部６１ａの緩衝作用を受けながら入切ボタン３０ｃを押動している。そのためレバー６１には過負荷がかからずリミットスイッチ３０の過負荷による故障が生じにくい。
（２）パチンコ機本体４と左部枠板１ｄの接近に伴ってレバー６１の延出部６１ａが撓み、この撓む範囲においてリミットスイッチ３０の配置位置の調整に裕度ができるため、リミットスイッチ３０の配置作業にそれほどの技量を必要としなくてよくなる。また、外枠１の経年使用による寸法誤差にも対応することが容易である。
（３）レバー６１がリミットスイッチ３０の入力レバー３０ｂと緩衝部材を兼ねるため構成部品が減り、組み立て工程が簡略化される。
（４）レバー６１が内側を向いて配置されているため、パチンコ機の運搬・設置作業時にレバー６１がぶつかって折れたり曲がったりするという不具合が生じにくい。
【００２０】
（実施の形態６）
図２及び図１２に示すように、右端面４ａの一部を構成する前記入出力基盤３４の右側方には取り付けフレーム４１が形成されている。取り付けフレーム４１には略台形に右方に突出する取り付けプレート４３が形成されている。取り付けプレート４３にはケース６５とともにリミットスイッチ３０が装着されている。図１３に示すように、ケース６５は固定ボルト６６を下方位置に配設された取り付け孔６５ａから通して取り付けプレート４３に対して回動可能に装着されている。固定ボルト６６上方には長孔６７が形成されている。長孔６７には取り付けプレート４３より突設された規制ねじ６８が配置され、ケース６５の回動が規制されている。その結果、ケース６５は固定ボルト６６を回動中心として揺動可能とされる。
図１４、図１５（ａ）〜図１５（ｃ）に示すように、固定ボルト６６及び長孔６７間には左方に開放された第１の収納部６９が形成されている。第１の収納部６９には緩衝部材としての板バネ７０が収納されている。第１の収納部６９の右方には第２の収納部７１が形成されている。第２の収納部７１は右方に開放されており、同第２の収納部７１内にはリミットスイッチ３０が収納されている。リミットスイッチ３０は第２の収納部７１内に固定された本体３０ａと検出部としてのレバー３０ｂとレバー３０ｂの押動によって入切される入切ボタン３０ｃとを備えている。レバー３０ｂは第２の収納部７１から若干右方に突出されている。本実施の形態では入切ボタン３０ｃが押されていない状態で検出信号が出力されるようになっている。
【００２１】
図１３に示すように、板バネ７０は取り付けプレート４３の左方に突設された付勢プレート７２に対してケース６５を時計回り方向（右方）に付勢しており、図１５（ａ）及び図１５（ｂ）に示すように付勢状態でケース６５は若干右方に傾斜されている。一方、図２のようにパチンコ機本体４が外枠１内に収納された状態では、図１５（ｃ）に示すように左部枠板１ｄの上方寄り内面によって押動された状態となり、レバー３０ｂが押圧状態とされるとともにリミットスイッチ３０もろともケース６５が板バネ７０の付勢力に抗して反時計回り方向（左方）に回動する。
【００２２】
このような構成の実施の形態６のパチンコ機の作用について説明する。
図１のように扉枠１５がパチンコ機本体４に対し開放状態にあり、パチンコ機本体４は外枠１に対し開放状態にあるとする。このときリミットスイッチ３０は図１５（ａ）に示す状態とされる。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。パチンコ機本体４が外枠１に接近すると、まずリミットスイッチ３０のレバー３０ｂから左部枠板１ｄの内面に当接し、レバー３０ｂは押動されて本体３０ａ方向に回動され入切ボタン３０ｃを押す（図１５（ｂ）の状態）。さらに、レバー３０ｂが押動されるとリミットスイッチ３０もろともケース６５が板バネ７０の付勢力に抗して反時計回り方向（左方）に回動され、パチンコ機本体４が外枠１に装着された状態でリミットスイッチ３０は図１５（ｃ）に示す状態となる。図１５（ｃ）に示すようにパチンコ機本体４が外枠１に装着された状態で規制ねじ６８は長孔６７内の中央付近に位置しており、ケース６５は左方向へ揺動することについて若干の余裕を持っている。ついで、再びパチンコ機本体４を開放させていくと上記とは逆に図１５（ｃ）の状態から図１５（ｂ）の状態となり図１５（ａ）の状態となる。尚、本実施の形態１では開放によってレバー３０ｂへの押圧が解除されることで入力される。
【００２３】
このように構成することにより本実施の形態６は次のような効果を奏する。
（１）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０に非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
（２）図１５（ｃ）のようにパチンコ機本体４が外枠１に装着された状態で規制ねじ６８は長孔６７内の中央付近に位置しており、ケース６５は左方向へ揺動することについて若干の余裕を持っている。従って、リミットスイッチ３０には板バネ７０の付勢力以上の過負荷がかからずリミットスイッチ３０の過負荷による故障が生じにくい。
（３）リミットスイッチ３０が収納されているケース６５は左部枠板１ｄの内面による押動と板バネ７０の付勢力によって長孔６７の分だけ左右に揺動するようになっている。すなわちケース６５は固定されておらずリミットスイッチ３０の配置位置の調整に裕度があるため、リミットスイッチ３０の配置作業にそれほどの技量を必要としなくてよくなる。また、外枠１の経年使用による寸法誤差にも対応することが容易である。
（４）リミットスイッチ３０のレバー３０ｂは直接左部枠板１ｄの内面に当接するため特にレバー３０ｂを押動するための当接プレートのような別部材は不要となりコストの削減に寄与する。
（５）取り付けフレーム４１自体が若干左右に撓むという可撓性を有しているため、ケース６５が揺動することと併せてリミットスイッチ３０に負荷がかかりにくくなっている。
（６）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（７）リミットスイッチ３０がケース６５に収納されているため、パチンコ機の運搬・設置作業時にぶつかって故障するという不具合が生じにくい。
【００２４】
（実施の形態７）
図２及び図１６に示すように、右端面４ａの一部を構成する前記入出力基盤３４の右側方には取り付けフレーム４１が形成されている。取り付けフレーム４１には略台形に右方に突出する取り付けプレート４３が形成されている。取り付けプレート４３にはケース７３が装着されている。図１６に示すように、ケース７３は下方位置に配設された固定ネジ７４によって取り付けプレート４３に対して回動可能に装着されている。固定ねじ７４上方には長孔７５が形成されている。長孔７５には取り付けプレート４３より突設された規制ねじ７６が配置され、ケース７３の回動が規制されている。その結果、ケース７３は固定ネジ７４を回動中心として揺動可能とされる。
図１６、図１３（ａ）〜図１３（ｃ）に示すように、固定ねじ７４及び長孔７５間には左方に開放された収納部７７が形成されている。収納部７７内にはリミットスイッチ３０が収納されている。リミットスイッチ３０は収納部６９内に固定された本体３０ａと検出部としての入力レバー３０ｂとを備えており、入力レバー３０ｂが押動されて入切ボタン３０ｃを押す。本実施の形態では入切ボタン３０ｃが押されていない状態で検出信号が出力されるようになっている。
リミットスイッチ３０は入力レバー３０ｂが取り付けフレーム４１側を向くように配置されている。入力レバー３０ｂの内側（図１６上で左方）には固定ピン７９に固定されたコイルばね８０が配設されている。コイルばね８０は取り付けフレーム４１に形成された当接プレート８１に対して入力レバー３０ｂを介してリミットスイッチ３０（本体３０ａ）を外方に付勢する。
【００２５】
このような構成の実施の形態７のパチンコ機の作用について説明する。
図１のように扉枠１５がパチンコ機本体４に対し開放状態にあり、パチンコ機本体４は外枠１に対し開放状態にあるとする。このときリミットスイッチ３０は図１７（ａ）に示す状態とされる。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。
パチンコ機本体４が外枠１に接近すると、まずケース７３の外方上角部分から左部枠板１ｄの内面に当接し、リミットスイッチ３０はケース７３とともに押動されて反時計回り方向（内方向）に回動を始める。入力レバー３０ｂはコイルばね８０に当接させられて入切ボタン３０ｃが押動される（図１７（ｂ）に示す状態）。
更に、コイルばね８０の付勢力に抗してパチンコ機本体４を閉塞方向に回動させていくと、パチンコ機本体４が外枠１に完全装着された状態で本体３０ａは図１７（ｃ）に示すようにほぼ垂直に配置される。
ついで、再びパチンコ機本体４を開放させていくと上記とは逆に図１７（ｃ）の状態から図１７（ｂ）の状態となり、更に図１７（ａ）の状態となる。
【００２６】
このように構成することにより本実施の形態７は次のような効果を奏する。
（１）図１７（ｃ）のようにパチンコ機本体４が外枠１に装着された状態で本体３０ａはコイルばね８０の付勢力によって保持されており左右に揺動することについて若干の余裕を持っている。従って、リミットスイッチ３０にはコイルばね８０の弾性以上の過負荷がかからずリミットスイッチ３０の過負荷による故障が生じにくい。
（２）パチンコ機本体４と左部枠板１ｄの接近に伴ってコイルばね８０の付勢力に抗しながらリミットスイッチ３０は時計回り方向（内方向）に回動する。この回動（揺動）できる範囲においてリミットスイッチ３０の配置位置の調整に裕度ができるため、リミットスイッチ３０の配置作業にそれほどの技量を必要としなくてよくなる。また、外枠１の経年使用による寸法誤差にも対応することが容易である。
（３）リミットスイッチ３０が揺動するため入力レバー３０ｂを取り付けフレーム４１側に向いて配置させることができ、例えばパチンコ機本体４の運搬中に入力レバー３０ｂに誤って接触してしまいリミットスイッチ３０が故障するという不具合が生じにくい。
（４）リミットスイッチ３０が揺動することに加え、コイルばね８０が弾性を持っているため左部枠板１ｄの経年使用による寸法誤差にも対応することができる。
（５）リミットスイッチ３０は直接左部枠板１ｄの内面に当接するため特に入力レバー３０ｂを押動して入切ボタン３０ｃを入り切りするための当接プレートのような別部材は不要となりコストの削減に寄与する。
（６）取り付けフレーム４１自体が若干左右に撓むという可撓性を有しているため、コイルばね８０の弾性に加えてさらにリミットスイッチ３０に負荷がかかりにくくなっている。
（７）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（８）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０に非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
【００２７】
・リミットスイッチ３０に位置はパチンコ機本体４の右端面４ａと外枠１の左部枠板１ｄ間に限らず、パチンコ機本体４と外枠１の他の位置でもよい。従って、緩衝部材の配設場所もリミットスイッチ３０の配置位置の変更に伴って当然変更されうる。
・上記各実施の形態ではリミットスイッチ３０は入出力基盤３４の取り付けフレーム４１に装着するようになっていたが、右端面４ａであれば上下方向にずれた位置に配置することは自由である。
・上記各実施の形態ではリミットスイッチ３０側は左部枠板１ｄの内面と直接当接するようになっていたが、左部枠板１ｄの内面に当接プレートのような別部材を介していてもよい。
・図１８に示すように、扉枠１５、パチンコ機本体４、セット盤２２が前後方向に３層に配設されている。このとき、中間のパチンコ機本体４に透孔８３を形成し、同透孔８３内に緩衝部材としての板ばね８４を配設し、扉枠１５あるいはセット盤２２に（図１８ではセット盤２２）リミットスイッチ３０を装着するようにしてもよい。すなわち、中間に構成部材を配してその前後の構成部材間で検出するようにし中間の構成部材に緩衝部材を配設することが可能である。
・その他の位置、例えば扉枠１５と遊技盤５の扉枠支持フレーム７間やセット盤２２とパチンコ機本体４との間や上部カバープレート３５とパチンコ機本体４の間など開放されたり脱着されたりする部材間に必要に応じて上記のような緩衝部材を介在させたリミットスイッチ３０を配置することは自由である。
。
・左部枠板１ｄの内面側にリミットスイッチ３０を配置しても構わない。
・上記各実施の形態では押圧により入り切りされるリミットスイッチ３０であったが、これ以外の他の検出手段、例えば光電センサ、近接センサ、マイクロスイッチ等であってもよい。
【００２８】
（実施の形態８）
図１９及び図２０に示すように、本発明をスロットマシンに適用してもよい。
本実施の形態のスロットマシン８５は遊技台としての前扉８６の裏面にリール装置８７が装着された機種である。前扉８６は支持枠体としての外枠８８に対して回動軸８９を回動中心として回動する。前扉８６の前面には遊技面９０が形成されている。端面となるリール装置８７の側方には例えば上記図１０に示すセンサ３０が配設されている。前扉８６が外枠８８前面を封塞した状態において、外枠８８の回動軸８９側内面８８ａがセンサ３０の図示しない入力レバーと当接する。前扉８６が開放されると外枠８８の内面８８ａのセンサ３０に対する押圧は解除される。
このように構成すると、
（１）リミットスイッチ３０の配設位置が回動軸８９側にあるため外枠８８を開放しても隙間はあまり大きくならないため上記と同様不正遊技をたくらむ者がこのリミットスイッチ３０に非常に触りにくくなる。また、外枠８８の開放に伴って前扉８６が前方に張り出すためこれが邪魔となるとともにリミットスイッチ３０側（右端面）は逆に回動して背後に隠れていくためますます不正が行いにくい。
（２）リミットスイッチ３０のレバーは直接回動軸７５が外枠８８の内面８８ａに当接するため特にレバー入り切りのための当接プレートのような別部材は不要となりコストの削減に寄与する。
（３）上記同様リミットスイッチ３０自体が揺動するためリミットスイッチ３０にかかる負荷が軽減される。
その他、スロットマシン８５には図６〜図１１の各リミットスイッチ３０が応用できる。緩衝部材としての板バネ７０やコイルばね６２の他に復帰力の強いスポンジのようなものを使用してもよい。また、内面８８ａに当接プレートのような別部材を介していてもよい。
・上記スロットマシン８５ではリミットスイッチ３０はリール装置８７の側面（端面）に装着されていた。しかし、リール装置８７が外枠８８側にあるタイプのスロットマシン８５では取り付けプレートを前扉８６の裏面に固着し、この取り付けプレートを前扉８６の端面としてにリミットスイッチ３０を装着することでリミットスイッチ３０のレバーを外枠８８の内面８８ａに当接させるようにしてもよい。
・本発明はパチンコ機以外にもアレパチ、アレンジボール等の遊技機にも応用可能である等その他、本発明の趣旨を逸脱しない態様で実施することは自由である。
【００２９】
上記実施の形態から把握できる本発明のその他の技術的思想について下記に付記として説明する。
（１）  少なくとも支持枠体と、同支持枠体前面を覆う遊技盤を備えた遊技機本体とを備え、同支持枠体及び遊技機本体を含め複数の構成部材を開閉可能あるいは脱着可能に組み合わせ同複数の構成部材間の開閉あるいは脱着に伴いＯＮ／ＯＦＦされる検出部を有する検出手段を設けた遊技機において、
前記各構成部材の開閉あるいは着脱に伴い作用する緩衝部材を配設し、同緩衝部材を介在させた状態で同検出部がＯＮ／ＯＦＦされるように構成したことを特徴とする遊技機。
（２）支持枠体と、同支持枠体に対して開閉可能に支持され遊技面が形成された前扉と、同支持枠体あるいは前扉のいずれかに配設されたリール装置とを備え、同支持枠体及び前扉を含め複数の構成部材を開閉可能あるいは脱着可能に組み合わせ同複数の構成部材間に開閉あるいは脱着状態を検出する検出手段を配設するようにした遊技機において、
前記各構成部材の開閉あるいは着脱に伴い作用する緩衝部材を配設し、同緩衝部材を介在させた状態で同検出部がＯＮ／ＯＦＦされるように構成したことを特徴とする遊技機。
（３）前記検出部は同支持枠体内面と同検出部との間に介在された緩衝部材によって入切されることを特徴とする請求項１若しくは付記１又は２のいずれかに記載の遊技機。
（４）前記検出手段と前記遊技機本体（又は前扉）の開閉支軸側端面との間には緩衝部材が配設されていることを特徴とする付記３に記載の遊技機。
（５）前記緩衝部材は前記検出手段又は検出手段と前記遊技機本体（又は前扉）のいずれかに配設されていることを特徴とする請求項１若しくは付記１〜４のいずれかに記載の遊技機。
（６）前記緩衝部材は３層に配置された構成部材のいずれかに配設されていることを特徴とする請求項１若しくは付記１〜４のいずれかに記載の遊技機。
（７）前記検出手段は揺動可能に支持され同端面と支持枠体内面との接近に伴って同支持枠体内面によって揺動され前記検出部が同端面又は支持枠体内面に当接することを特徴とする請求項１若しくは付記１〜６のいずれかに記載の遊技機。
（８）検出手段は回動軸を中心に回動するとともに、規制ピンが長孔内を往復動することによって揺動することを特徴とする付記７に記載の遊技機。
（９）前記検出手段はケースに収納され、同ケースとともに揺動することを特徴とする付記７又は８に記載の遊技機。
（１０）ケースは回動軸を中心に回動するとともに、規制ピンが長孔内を往復動することによって揺動することを特徴とする付記９に記載の遊技機。
（１１）前記緩衝部材は前記検出部と一体に構成されたことを特徴とする請求項１若しくは付記１〜１０のいずれかに記載の遊技機。
（１２）前記検出部は前記遊技機本体（又は前扉）の開閉支軸側端面側に配置されていることを特徴とする請求項１若しくは付記１〜１１のいずれかに記載の遊技機。
【００３０】
【図面の簡単な説明】
【図１】  本発明の実施の形態のパチンコ機の扉枠及びパチンコ機本体を開放した状態の斜視図。
【図２】  本各実施の形態の背面図。
【図３】  実施の形態１においてパチンコ機本体を開放した状態を説明する部分拡大背面図。
【図４】  実施の形態２においてパチンコ機本体を開放した状態を説明する部分拡大背面図。
【図５】  実施の形態１のリミットスイッチの装着状態を説明する分解斜視図。
【図６】  実施の形態２にリミットスイッチの装着状態を説明する分解斜視図。
【図７】  実施の形態１のリミットスイッチの状態を説明する説明図であって（ａ）はパチンコ機本体開放状態、（ｂ）はパチンコ機本体閉塞状態。
【図８】  実施の形態２のリミットスイッチの状態を説明する説明図であって（ａ）はパチンコ機本体開放状態、（ｂ）はパチンコ機本体閉塞状態。
【図９】  実施の形態３のリミットスイッチの状態を説明する説明図であって（ａ）はパチンコ機本体開放状態、（ｂ）はパチンコ機本体閉塞状態。
【図１０】  実施の形態４のリミットスイッチの状態を説明する説明図であって（ａ）はパチンコ機本体開放状態、（ｂ）はパチンコ機本体閉塞状態。
【図１１】  実施の形態５のリミットスイッチの状態を説明する説明図であって（ａ）はパチンコ機本体開放状態、（ｂ）はパチンコ機本体閉塞状態。
【図１２】  実施の形態６においてパチンコ機本体を開放した状態を説明する部分拡大背面図。
【図１３】  実施の形態６にリミットスイッチの装着状態を説明する分解斜視図。
【図１４】  実施の形態６のケースを説明する断面図。
【図１５】  実施の形態６のリミットスイッチの状態を説明する説明図であって（ａ）はパチンコ機本体開放状態、（ｂ）はリミットスイッチの入力レバーのみが押動された状態（ｃ）はパチンコ機本体閉塞状態。
【図１６】  実施の形態７においてパチンコ機本体を開放した状態を説明する部分拡大背面図。
【図１７】  実施の形態７のリミットスイッチの状態を説明する説明図であって（ａ）はパチンコ機本体開放状態、（ｂ）はリミットスイッチの入力レバーのみが押動された状態（ｃ）はパチンコ機本体閉塞状態。
【図１８】  扉枠、パチンコ機本体及びセット盤の３層構造において中間のパチンコ機本体に板ばねを配設状態の説明図。
【図１９】  スロットマシンに応用した実施の形態８の斜視図。
【図２０】  同じスロットマシンを開放した状態の斜視図。
【符号の説明】
１…支持枠体としての外枠、１ｄ…左部枠板、４…遊技台としてのパチンコ機本体、４ａ…開閉支軸側端面としての右端面、５…遊技盤、９…遊技面、３０…検出手段としてのリミットスイッチ、３０ｂ…検出部としての入力レバー、４５，５０…緩衝部材としての中間レバー、５９…緩衝部材としてコイルばね、５５ａ…緩衝部材としての延出部、６１ａ…緩衝部材としての延出部、７０…緩衝部材としての板バネ、８０…緩衝部材としての板バネ、８４…緩衝部材としての板バネ。
【図１】
0004797234.tif 000002
【図２】
0004797234.tif 000003
【図３】
0004797234.tif 000004
【図４】
0004797234.tif 000005
【図５】
0004797234.tif 000006
【図６】
0004797234.tif 000007
【図７】
0004797234.tif 000008
【図８】
0004797234.tif 000009
【図９】
0004797234.tif 000010
【図１０】
0004797234.tif 000011
【図１１】
0004797234.tif 000012
【図１２】
0004797234.tif 000013
【図１３】
0004797234.tif 000014
【図１４】
0004797234.tif 000015
【図１５】
0004797234.tif 000016
【図１６】
0004797234.tif 000017
【図１７】
0004797234.tif 000018
【図１８】
0004797234.tif 000019
【図１９】
0004797234.tif 000020
【図２０】
0004797234.tif 000021